(57)【要約】【課題】本発明は携帯端末と固定端末の連携方法に関し，固定端末にアプリケーションがインストールされてない場合にも，携帯端末との連携を可能にすることを目的とする。【解決手段】携帯端末に情報処理機能を備えた固定端末と通信を行うためのインタフェース部を備え，携帯端末に携帯端末で実行されない固定端末用のアプリケーションを格納したメモリ領域を設け，携帯端末のインタフェース部を介して固定端末を接続することにより携帯端末と固定端末を連携動作させるよう構成する。【選択図】図１
2006279430.tif 000002
【特許請求の範囲】
【請求項１】
携帯端末に情報処理機能を備えた固定端末と通信を行うためのインタフェース部を備え，
前記携帯端末に携帯端末で実行されない固定端末用のアプリケーションを格納したメモリ領域を設け，
前記携帯端末のインタフェース部を介して固定端末を接続することにより携帯端末と固定端末を連携動作させることを特徴とする携帯端末と固定端末の連携方法。
【請求項２】
前記固定端末を前記インタフェース部を介して携帯端末と接続した状態で，前記固定端末側で前記携帯端末の前記メモリ領域のアプリケーションを起動することにより前記アプリケーションを実行させることを特徴とする請求項１に記載の携帯端末と固定端末の連携方法。
【請求項３】
前記携帯端末に携帯端末の通信に使用するデータベースを設け，
前記固定端末を前記インタフェース部を介して携帯端末と接続した状態で，前記固定端末で前記携帯端末の前記メモリ領域のアプリケーションを起動することにより前記アプリケーションを実行させ，前記携帯端末のデータベースを固定端末のメモリにコピーし，固定端末側の表示手段に表示することを特徴とする請求項１に記載の携帯端末と固定端末の連携方法。
【発明の詳細な説明】
【技術分野】
【０００１】
本発明は，携帯電話等の携帯端末とパーソナルコンピュータ（ＰＣ）等の固定端末の連携方法に関する。
【背景技術】
【０００２】
図４は携帯電話とＰＣ間の通信を行うための従来例を示す図であり，この従来例は携帯電話とパーソナルコンピュータのような異なる通信インフラを使用する端末を一体化して相互にデータ転送すると共に並列使用も可能な通信システムの例である（特許文献１参照）。
【０００３】
図４において，携帯電話８０は無線公衆網を介してデータ送受信が可能であり，無線公衆網に設けられたメールスプールやサーバ等と接続されてメールや，各種の携帯電話８０に対するサービスが可能である。また，パーソナルコンピュータ８８は社内ＬＡＮ等に接続されサービスプロバイダを経由してインターネットと接続できる。インタフェース装置８１はＰＤＡインタフェース８２と接続され，パーソナルコンピュータ（以下，ＰＣという）８８はＰＣインタフェース８３と接続され，その他にインタフェース内でのデータ送受信制御を実行するＣＰＵ８４，制御プログラムの格納，データの一時格納のためのＲＯＭ８５，ＲＡＭ８６及びユーザに対するデータ処理状況等を表示するユーザインタフェース（ＵＩ）８７とを備えている。携帯電話８０がインタフェース装置８１に接続されると，ＰＣ８８と携帯電話８０とはそれぞれパスワードの入力を行い，照合により一致すると両者の間のセッションが確立し，携帯電話８０側で利用するネットワーク情報をＰＣ８８にダウンロードすることで，ＰＣ８８がＬＡＮに接続された環境では，ユーザは携帯電話８０の例えば無線公衆回線とＬＡＮを介するネットワークインフラの両方を使用することができる。
【０００４】
このように携帯電話８０とＰＣ８８の双方に専用アプリケーションを持たせることにより，ＰＣ８８と携帯電話８０間の連携を行うことができる。
【０００５】
この他に従来例として，デジタルカメラと携帯電話やＰＣ等の周辺機器とを接続して，周辺機器で使用するアプリケーションプログラムに関連した特有の情報（アプリケーションプログラムで使用するキャラクタのサイズや解像度等）をデジタルカメラに出力し，デジタルカメラ内で特有情報に基づいて処理した画像データを周辺機器に出力し，周辺機器はこの処理済みの画像データをアプリケーションプログラムに取り込んで実行する技術もある（特許文献２参照）。
【０００６】
図５は携帯端末と固定端末間でのデータのやり取りを行う従来の構成例を示す。図中，９０は携帯端末，９１は携帯電話部，９２はフラッシュロム（FLASH ROM)等のメモリに格納された携帯電話で使用する電話帳データベース（ＤＢ），９３は固定端末であるパーソナルコンピュータ（ＰＣ），９４はメモリ，９５は電話帳ＤＢ，９６はＰＣの表示手段である。
【０００７】
携帯端末９０とＰＣ９３間でデータのやりとりを行う場合，ＰＣ９３側に携帯端末９０のデータを取り出す処理を行うためのソフトウェアであるアプリケーション９４ａをメモリ９４にインストールする。携帯端末９０内の電話帳ＤＢ９２をＰＣ９３側に両者間のデータ通信のインタフェース（ＵＳＢ等）を介してコピーする。次にＰＣ９３にインストールされているアプリケーション９４ａを実行し，コピーした電話帳ＤＢ９５の編集を行い，編集した電話帳ＤＢ９５を保存する。続いて，編集済みの電話帳ＤＢ９５を携帯端末９０の電話帳ＤＢ９２として保存することで，携帯端末９０の電話帳ＤＢ９２が更新される。
【特許文献１】特開２００１−２５１３７６号公報
【特許文献２】特開２００４−３２５６４号公報
【発明の開示】
【発明が解決しようとする課題】
【０００８】
上記図４に示す従来例（特許文献１）によれば，携帯端末と固定端末（ＰＣ）の双方に専用アプリケーションを持たせることにより，ＰＣと携帯端末間の連携を行うものであり，携帯端末との連携を行うためのアプリケーションがインストールされていない固定端末では携帯端末と連携することが不可能であった。また，上記特許文献２の技術は周辺機器で使用する画像データをデジタルカメラにおいて特有情報により処理を行った上で周辺機器のアプリケーションプログラムに取り込む技術であり，アプリケーションプログラムがインストールされてない固定端末を携帯端末と連携させるものではない。
【０００９】
更に，上記図５に示す従来の構成例では，予め携帯端末との連携を行うアプリケーションが固定端末（ＰＣ）にインストールされている必要があり，アプリケーションがインストールされてないと携帯端末のデータについて処理を行うことができないという問題がある。
【００１０】
本発明は固定端末にアプリケーションがインストールされてない場合にも，携帯端末との連携をすることが可能な携帯端末と固定端末の連携方法を提供することを目的とする。
【課題を解決するための手段】
【００１１】
図１は本発明の原理構成を示す図である。図中，１は携帯電話，ＰＤＡ（Personal Digital Assistant) 等の携帯端末，１ａは携帯端末が備える機能を実行する携帯端末処理部，１ｂは携帯端末で使用するために蓄積したデータを格納するデータ格納部，１ｃは携帯端末１内に設けられ固定端末２からアクセス可能なメモリ領域，１ｄはメモリ領域１ｃ内に格納され，携帯端末処理部１ａでは使用しないプログラムであるアプリケーション，１ｅは固定端末と通信を行う通信部である。２はパーソナルコンピュータ（ＰＣ）等の固定端末，２ａはＣＰＵ，ＲＡＭ等を含む処理部，２ｂは外部装置またはメモリを駆動するためのインタフェース部，２ｃはメモリ，２ｄはメモリ２ｃに格納したデータ，２ｅは表示手段，２ｆは入力手段である。
【００１２】
携帯端末１の保有者は予め外部のパーソナルコンピュータ等の固定端末により実行することができるアプリケーション１ｄをメモリ領域１ｃにロードしておく。このローディングは，当該アプリケーションを保持する他のパーソナルコンピュータ等から通信部１ｅを介して転送するか，当該携帯端末１の製品出荷前に格納するか，また無線通信機能を持っている携帯端末１であれば，携帯端末処理部１ａの無線通信機能を用いた外部機器からアプリケーションをメモリ領域１ｃに格納することができる。また，携帯端末１にはその携帯端末の機能（携帯電話，ＰＤＡ等）を実行する上で使用するデータ（電話帳や，スケジュールデータ，音楽データ，写真等）がデータ格納部１ｂに格納されており，アプリケーション１ｄはその携帯端末で使用するデータの転送，編集等を行う機能を備えている。
【００１３】
ここで，固定端末２からそのインタフェース部２ｂと携帯端末１の通信部１ｅとを接続すると，固定端末２は携帯端末１のメモリ領域１ｃのアプリケーション１ｄを駆動する。これにより，携帯端末１の中のメモリ領域１ｃに格納されたアプリケーション１ｄを実行させ，携帯端末１に保存しているデータ格納部１ｂに格納されたデータを固定端末２のメモリ２ｃ内にデータ２ｄとしてコピーする処理をする。このコピーしたデータ２ｄについて，固定端末２の表示手段２ｅで表示し，表示された内容を見ながら入力手段２ｆにより編集等の処理を施してデータ２ｄを更新することができる。固定端末２で更新されたデータ２ｄについて携帯端末１に向けて書き込みを行うと，アプリケーション１ｄの動作によりデータ格納部１ｂにメモリ２ｃのデータ２ｄが書き込まれる（上書きされる）。
【００１４】
このように，携帯端末１側で実行することができないアプリケーションを固定端末２から実行することが可能となり，固定端末２にアプリケーションを搭載しない場合にもアプリケーションを実行させることが可能となる。
【発明の効果】
【００１５】
本発明により固定端末で実行できるアプリケーションを携帯端末に搭載して，固定端末から携帯端末のアプリケーションを実行することで，携帯端末のデータに対して携帯端末では不便なキーボードやマウス等の入力装置を用いて大型の表示装置及び処理装置を利用して入力，編集等の処理を効率良く，高速に実行することができ，処理結果（更新結果）を携帯端末に書き込むことで，携帯端末の利用者への利便性を向上することができる。また，パーソナルコンピュータ等の固定端末側にアプリケーションが無い場合にも，携帯端末のデータをコンピュータで加工したり，利用することが可能となる。
【発明を実施するための最良の形態】
【００１６】
図２は実施例の構成を示す。図中，１は携帯電話機の機能を備える携帯端末，１０は携帯電話処理部，１１は携帯端末１における無線による携帯電話のような通信機能を実行する時に通話相手を選択する場合に使用する電話帳データベース（ＤＢ），１２は携帯端末１内のメモリ領域，１２０はメモリ領域１２に格納され，パーソナルコンピュータにより実行される電話帳編集ソフト（プログラム）であるアプリケーション，１３は外部のパーソナルコンピュータと通信を行うための通信ドライバである。２は固定端末（図１の２）に対応するパーソナルコンピュータ（ＰＣ），２０はＣＰＵ，ＲＯＭを含む処理装置，２１はＵＳＢドライバ，２２はメモリ，２３はハードディスク等の外部記憶装置，２４は表示装置，２５はキーボードやマウス等の入力装置である。なお，この実施例では，パーソナルコンピュータ（ＰＣ）２は携帯端末１との通信用のインタフェースとしてＵＳＢドライバ２１を使用しているが，他のＩＥＥＥや，無線，ＲＳ２３２Ｃ等の各種のインタフェースを使用することができる。
【００１７】
図３は実施例のフローチャートであり，図２のパーソナルコンピュータ２において携帯端末１と連携して実行される。
【００１８】
携帯端末１のメモリ領域１２には予め，電話帳編集ソフトのアプリケーション１２０をインストールしておく。その場合，他のパーソナルコンピュータからか，または携帯端末１の携帯電話処理部１０を経由したデータ通信等により行われる。
【００１９】
携帯端末１の通信ドライバ１３の端子とパーソナルコンピュータ（ＰＣ）２のＵＳＢドライバ２１の端子を信号線により接続して（図３のＳ１），パーソナルコンピュータ（ＰＣ）２で携帯端末１を一つのドライブとして開くと（同Ｓ２），携帯端末１上のアプリケーション１２０が通信ドライバ１３を経由して実行される（同Ｓ３）。そのアプリケーション１２０の動作により，電話帳データベース（ＤＢ）１１がパーソナルコンピュータ（ＰＣ）２のメモリ２２内に電話帳データベース（コピー）２２ａとしてコピーされる。この後，電話帳データベース（ＤＢ）２２ａの編集したい部分を指定することで，表示装置２４に内容が表示され，その内容について入力装置２５から修正，削除，追加等の編集を行い（図３のＳ４），編集を終了すると，アプリケーション１２０の機能により更新した電話帳データベース２２ａを携帯端末１の電話帳データベース１１に上書きの形式で書き込む（同Ｓ５）。
【００２０】
このように，パーソナルコンピュータ２に携帯端末１が保持するデータについての編集等を行うためのアプリケーションを備えない場合にも，携帯端末１にアプリケーションプログラムを保持することにより，パーソナルコンピュータ２と接続するだけでアプリケーションを実行することができる。
【００２１】
上記の実施例は，携帯端末の電話帳ＤＢの編集を行う場合について説明したが，携帯電話のカメラで撮影した画像ファイル等をパーソナルコンピュータで参照したり，保存する場合や，携帯電話の音楽ファイルの保存や消去をパーソナルコンピュータにより実行したり，携帯電話のスケジューラのパーソナルコンピュータとの連携や，携帯電話のメールの閲覧，編集，送受信をパーソナルコンピュータにより実行する等に応用することができる。
【００２２】
更に，デジタルカメラを携帯端末として扱えば，メモリカードをパーソナルコンピュータに入力できない場合でも，デジタルカメラにアプリケーションを格納することで，ＵＳＢ等のインタフェースを用いてデジタルカメラで撮影した画像ファイルの保存，消去等をパーソナルコンピュータから実行することが可能となる。
【００２３】
また，デジタルのポータブル音楽端末を携帯端末として扱えば，音楽ファイルの入れ替え，保存消去，音楽ファイルの名前編集等をパーソナルコンピュータにより実行する場合に応用することができる。
【００２４】
（付記１）  無線による通信を行う携帯端末に情報処理機能を備えた固定端末と通信を行うためのインタフェース部を備え，前記携帯端末に携帯端末で実行されない固定端末用のアプリケーションを格納したメモリ領域を設け，前記携帯端末のインタフェース部を介して固定端末を接続することにより携帯端末と固定端末を連携動作させることを特徴とする携帯端末と固定端末の連携方法。
【００２５】
（付記２）  前記固定端末を前記インタフェース部を介して携帯端末と接続した状態で，前記固定端末側で前記携帯端末の前記メモリ領域のアプリケーションを起動することにより前記アプリケーションを実行させることを特徴とする請求項１に記載の携帯端末と固定端末の連携方法。
【００２６】
（付記３）  前記携帯端末に携帯端末の通信に使用するデータベースを設け，前記固定端末を前記インタフェース部を介して携帯端末と接続した状態で，前記固定端末で前記携帯端末の前記メモリ領域のアプリケーションを起動することにより前記アプリケーションを実行させ，前記携帯端末のデータベースを固定端末のメモリにコピーし，固定端末側の表示手段に表示することを特徴とする請求項１に記載の携帯端末と固定端末の連携方法。
【００２７】
（付記４）  前記固定端末のメモリにコピーしたデータベースに対し，前記アプリケーションの実行によりデータを更新し，更新結果を前記携帯端末のデータベースへ上書きすることを特徴とする請求項３に記載の携帯端末と固定端末の連携方法。
【００２８】
（付記５）  前記携帯端末のメモリ領域のアプリケーションを起動させることにより，前記固定端末側のメモリにあるデータを読み取り，前記携帯端末側のメモリに格納することを特徴とする請求項２に記載の携帯端末と固定端末の連携方法。
【図面の簡単な説明】
【００２９】
【図１】本発明の原理構成を示す図である。
【図２】実施例の構成を示す図である。
【図３】実施例のフローチャートを示す図である。
【図４】携帯電話とＰＣ間の通信を行うための従来例を示す図である。
【図５】携帯端末と固定端末間でのデータのやり取りを行う従来例を示す図である。
【符号の説明】
【００３０】
１        携帯端末
１ａ      携帯端末処理部
１ｂ      データ格納部
１ｃ      メモリ領域
１ｄ      アプリケーション
１ｅ      通信部
２        固定端末
２ａ      処理部
２ｂ      インタフェース部
２ｃ      メモリ
２ｄ      データ
２ｅ      表示手段
２ｆ      入力手段
【図１】
2006279430.tif 000003
【図２】
2006279430.tif 000004
【図３】
2006279430.tif 000005
【図４】
2006279430.tif 000006
【図５】
2006279430.tif 000007